(57)【特許請求の範囲】
【請求項１】
光により生成された電力を複数の商品ダミー体が収容された自動販売機の展示室に対し給電する太陽電池を用いた自動販売機の商品ダミー体構造であって、
前記太陽電池としては、表面に対し直接的又は間接的な加飾が施されたシート状の有機系太陽電池が適用されており、
前記各商品ダミー体は、
前記有機系太陽電池と、
前記有機系太陽電池で生成した電力を前記ダミー本体の内方において蓄電するダミー体用蓄電部と、
前記ダミー体用蓄電部で蓄電した電力により発光する発光体と、
を備えているとともに、
前記各商品ダミー体のダミー体用蓄電部は、当該各商品ダミー体の外部との間で電力の給電を行うダミー体用外部端子を備え、それぞれのダミー体用外部端子同士が配線を介して接続されていることを特徴とする太陽電池を用いた自動販売機の商品ダミー体構造。
【請求項２】
前記各商品ダミー体のうちの少なくとも１つは、その少なくとも一部分を電力により作動させる作動手段を備え、この作動手段が前記ダミー体用外部端子に配線を介して接続されている請求項１に記載の太陽電池を用いた自動販売機の商品ダミー体構造。
【請求項３】
前記各商品ダミー体は、その最外殻を構成しかつ可撓性を有するダミー体外殻と、合成樹脂材を用いてインジェクション成形され、前記ダミー体外殻を自身の変形時の復元力により嵌合させて保持するダミー体枠とを備え、
前記ダミー体外殻が前記有機系太陽電池により形成されているとともに、
前記ダミー体用蓄電部及び前記発光体が前記ダミー体枠にそれぞれ取り付けられている請求項１又は請求項２に記載の太陽電池を用いた自動販売機の商品ダミー体構造。
【請求項４】
前記各商品ダミー体は、その最外殻を構成するダミー体外殻パネルを備え、
前記有機系太陽電池の表面には、前記ダミー体外殻パネルを介して間接的な加飾が施されており、
前記ダミー体外殻パネルの少なくとも一部には、その商品ダミー体に適した模様やロゴが印刷又は穿たれている請求項１又は請求項２に記載の太陽電池を用いた自動販売機の商品ダミー体構造。
【請求項５】
前記有機系太陽電池は、前記展示室の背面パネルにも取り付けられており、
その背面パネル用有機系太陽電池で生成した電力を蓄電する背面パネル用蓄電部と、
この背面パネル用蓄電部に設けられ、前記背面パネル用有機系太陽電池の外部に電力の給電を行う背面パネル用外部端子と、
を備えていて、
前記背面パネル用外部端子が前記各商品ダミー体のダミー体用外部端子に配線を介して接続されている請求項１〜請求項４のいずれか１つに記載の太陽電池を用いた自動販売機の商品ダミー体構造。
【請求項６】
前記太陽電池としては、前記自動販売機の天面又は側面に設けられたシリコン系太陽電池も適用されており、
前記シリコン系太陽電池には、当該シリコン系太陽電池により生成された電力を蓄電するシリコン系太陽電池用蓄電部が設けられているとともに、前記シリコン系太陽電池用蓄電部には、当該蓄電部で蓄電した電力を前記シリコン系太陽電池の外部に給電するシリコン系太陽電池用外部端子が設けられていて、
前記シリコン系太陽電池用外部端子が前記各商品ダミー体のダミー体用外部端子に配線を介して接続されている請求項１〜請求項５のいずれか１つに記載の太陽電池を用いた自動販売機の商品ダミー体構造。
【請求項７】
前記有機系太陽電池としては、色素増感太陽電池又は有機薄膜太陽電池が適用されている請求項１〜請求項６のいずれか１つに記載の太陽電池を用いた自動販売機の商品ダミー体構造。
【請求項８】
前記ダミー体用外部端子が、前記各商品ダミー体のダミー体枠と一体的にインサート成形されている請求項３に記載の太陽電池を用いた自動販売機の商品ダミー体構造。
【発明の詳細な説明】
【技術分野】
【０００１】
本発明は、太陽電池を用いた自動販売機の商品ダミー体構造に関し、特に、有機系太陽電池を用いたものに関わる。
【背景技術】
【０００２】
従来より、複数の商品ダミー体を収容する展示室が前面に設けられた自動販売機の天面に太陽電池を設置し、太陽電池において昼間の太陽光により生成された電力をバッテリなどの蓄電部に蓄電する。そして、蓄電部で蓄電した電力を夜間などに展示室に対し給電し、当該展示室を照らす発光体の電力に利用することで、自動販売機の省電力化を図るようにしたものが知られている（例えば、特許文献１参照）。この太陽電池としては、多結晶シリコン素子を多数板状に成形したパネルを有する所謂シリコン系太陽電池が適用されている。
【０００３】
一方、近来より、光吸収層（光電変換層）に有機化合物を用いた有機系太陽電池も開発されており、この有機系太陽電池は、生産コストが低くできる上、着色性や柔軟性などを持たせられるなどの利点を有している。
【先行技術文献】
【特許文献】
【０００４】
【特許文献１】特開２０１１−１８６８８２号公報
【発明の概要】
【発明が解決しようとする課題】
【０００５】
ところで、前記シリコン系太陽電池は、建物などの天面に設置して使用され、十分な耐久性を備えているものの、前記有機系太陽電池の場合には、その構造上、屋外環境などで使用する際に耐久性に課題がある。
【０００６】
その場合、自動販売機にあっては、それ自体が屋外環境に設置されてはいるものの、展示室は前面が透明板で覆われた屋内環境に近い環境であるため、有機系太陽電池の適用可能性が高いものといえる。そのため、有機系太陽電池の利点、つまり生産コストが低くかつ着色性や柔軟性などの利点を有効に利用することで、有機系太陽電池による自動販売機の省電力化や広告の多様化が切望されている。
【０００７】
本発明は、かかる点に鑑みてなされたものであり、その目的とするところは、有機系太陽電池の利点を有効に利用して自動販売機の省電力化及び広告の多様化を図ることができる太陽電池を用いた自動販売機の商品ダミー体構造を提供することにある。
【課題を解決するための手段】
【０００８】
前記目的を達成するため、本発明では、光により生成された電力を複数の商品ダミー体が収容された自動販売機の展示室に対し給電する太陽電池を用いた自動販売機の商品ダミー体構造を前提とし、前記太陽電池として、表面に対し直接的又は間接的な加飾が施されたシート状の有機系太陽電池を適用する。そして、前記各商品ダミー体に、前記有機系太陽電池と、前記有機系太陽電池で生成した電力を前記ダミー本体の内方において蓄電するダミー体用蓄電部と、前記ダミー体用蓄電部で蓄電した電力により発光する発光体と、を備える。更に、前記各商品ダミー体のダミー体用蓄電部に、当該各商品ダミー体の外部との間で電力の給電を行うダミー体用外部端子を設け、それぞれのダミー体用外部端子同士を配線を介して接続していることを特徴としている。
【００１０】
また、前記各商品ダミー体のうちの少なくとも１つに、その少なくとも一部分を電力により作動させる作動手段を設け、この作動手段を前記ダミー体用外部端子に配線を介して接続していてもよい。
【００１１】
また、前記各商品ダミー体に、その最外殻を構成しかつ可撓性を有するダミー体外殻と、合成樹脂材を用いてインジェクション成形され、前記ダミー体外殻を自身の変形時の復元力により嵌合させて保持するダミー体枠とを設け、前記ダミー体外殻を有機系太陽電池により形成するとともに、前記ダミー体用蓄電部及び前記発光体を前記ダミー体枠にそれぞれ取り付けていてもよい。
【００１２】
また、前記各商品ダミー体に、その最外殻を構成するダミー体外殻パネルを設け、前記各商品ダミー体の有機系太陽電池の表面に、前記ダミー体外殻パネルを介して間接的な加飾を施すとともに、前記ダミー体外殻パネルの少なくとも一部に、その商品ダミー体に適した模様やロゴを印刷又は穿っていてもよい。
【００１３】
また、前記有機系太陽電池を、前記展示室の背面パネルにも取り付け、この有機系太陽電池に、その背面パネル用有機系太陽電池で生成した電力を蓄電する背面パネル用蓄電部と、この背面パネル用蓄電部に設けられ、前記背面パネル用有機系太陽電池の外部に電力の給電を行う背面パネル用外部端子とを設けて、前記背面パネル用外部端子を前記各商品ダミー体のダミー体用外部端子に配線を介して接続していてもよい。
【００１４】
前記太陽電池として、前記自動販売機の天面又は側面に設けられたシリコン系太陽電池も適用し、前記シリコン系太陽電池に、当該シリコン系太陽電池により生成された電力を蓄電するシリコン系太陽電池用蓄電部を設けるとともに、前記シリコン系太陽電池用蓄電部に、当該蓄電部で蓄電した電力を前記シリコン系太陽電池の外部に給電するシリコン系太陽電池用外部端子を設けて、前記シリコン系太陽電池用外部端子を前記各商品ダミー体のダミー体用外部端子に配線を介して接続していてもよい。
【００１５】
また、前記有機系太陽電池として、色素増感太陽電池又は有機薄膜太陽電池を適用していてもよい。
【００１６】
更に、前記ダミー体用外部端子を、前記各商品ダミー体のダミー体枠と一体的にインサート成形していてもよい。
【発明の効果】
【００１７】
以上、要するに、各商品ダミー体に、表面に対し直接的又は間接的な加飾が施されたシート状の有機系太陽電池と、この有機系太陽電池で生成し他電力を蓄電するダミー体用蓄電部と、この蓄電部で蓄電した電力により発光する発光体とを設けることで、展示室内の各商品ダミー体の発光を有機系太陽電池により箇々に行え、有機系太陽電池の利点を有効に利用して自動販売機の省電力化及び広告の多様化を図ることができる。
【００１８】
また、各商品ダミー体のダミー体用蓄電部のそれぞれのダミー体用外部端子同士を配線を介して接続して電力の給電を行うことで、展示室での各商品ダミー体の収容位置によって光による生成量に差がある電力がほぼ均一なものとなり、展示室内の各商品ダミー体の発光を円滑に行うことができる。
【００１９】
また、各商品ダミー体のうちの少なくとも１つの商品ダミー体の少なくとも一部分を電力により作動させる作動手段をダミー体用外部端子に配線を介して接続することで、ダミー体用蓄電部に蓄電した電力により商品ダミー体の少なくとも一部分を作動させることができる。
【００２０】
また、ダミー体外殻を有機系太陽電池により形成し、その可撓性を有するダミー体外殻自身の変形時の復元力によってダミー体枠に対して嵌合させて保持することで、係合具などを用いることなくダミー体外殻をダミー体枠に対し確実に保持することができる。
【００２１】
また、各商品ダミー体の有機系太陽電池の表面にダミー体外殻パネルを介して間接的な加飾を施すことで、有機系太陽電池よりなるダミー本体の表面よりも自由度の高いダミー体外殻パネルに加飾が施せ、各商品ダミー体の加飾の自由度を拡大させることができる。更に、ダミー体外殻パネルの少なくとも一部にその商品ダミー体に適した模様やロゴを印刷又は穿つことで、各商品ダミー体の加飾の自由度をより拡大させることができる。
【００２２】
また、有機系太陽電池を展示室の背面パネルにも取り付け、その背面パネル用有機系太陽電池で生成した電力を蓄電する背面パネル用蓄電部の背面パネル用外部端子を各商品ダミー体のダミー体用外部端子に配線を介して接続することで、各商品ダミー体の有機系太陽電池用蓄電部からの電力が不足するといった事態に陥ったとしても、背面パネル用蓄電部で蓄電した電力を各商品ダミー体の発光体や作動手段に給電して当該発光体や作動手段の作動をアシストすることができる。
【００２３】
また、自動販売機の天面又は側面に設けたシリコン系太陽電池のシリコン系太陽電池用蓄電部のシリコン系太陽電池用外部端子を各商品ダミー体のダミー体用外部端子に配線を介して接続し、シリコン系太陽電池用蓄電部で蓄電した電力をダミー体用外部端子に給電することで、有機系太陽電池用蓄電部からの電力が不足するといった事態に陥ったとしても、シリコン系太陽電池で蓄電した電力を各商品ダミー体の発光体や作動手段に給電して当該発光体や作動手段を作動させることもできる。
【００２４】
また、有機系太陽電池として、色素増感太陽電池又は有機薄膜太陽電池を適用することで、有機系太陽電池の利点を有効に利用することができる。
【００２５】
更に、ダミー体用外部端子を各商品ダミー体のダミー体枠と一体的にインサート成形することで、各商品ダミー体のダミー体枠に対しダミー体用外部端子を後付けで取り付ける必要がなく、ダミー体用外部端子の取付作業を廃止することができる。
【図面の簡単な説明】
【００２６】
【図１】本発明の実施の形態に係る商品ダミー体構造を適用する太陽電池を用いた飲料用自動販売機の正面図である。
【図２】図１の飲料用自動販売機の商品ダミー体構造を適用した第１ダミー小缶の側面図である。
【図３】図２の第１ダミー小缶の横断面図である。
【図４】図１の飲料用自動販売機の商品ダミー体構造を適用した第２ダミー小缶の正面図である。
【図５】図１の飲料用自動販売機の商品ダミー体構造を適用した第３ダミー小缶の正面図である。
【図６】図１の飲料用自動販売機の商品ダミー体構造を適用した第４ダミー小缶の正面図である。
【図７】図１の飲料用自動販売機の商品ダミー体構造を適用した第１ダミー大ペットボトルの正面図である。
【図８】図７のＡ−Ａ線における断面図である。
【図９】図１の飲料用自動販売機の商品ダミー体構造を適用した第２ダミー大ペットボトルを取り付ける直前の上段のディスプレイ台の開口孔付近の斜視図である。
【図１０】図９の第２ダミー大ペットボトルを取り付ける途中の斜視図である。
【図１１】図１の飲料用自動販売機の商品ダミー体構造を適用した第３ダミー大ペットボトルの正面図である。
【図１２】図１１の第３ダミー大ペットボトルが取り付けられる上段のディスプレイ台の開口孔付近の平面図である。
【図１３】本実施の形態の変形例に係る商品ダミー体構造を適用する太陽電池を用いたタバコ用自動販売機の正面図である。
【図１４】本実施の形態のその他の変形例に係る積層体状のダミー本体を支持台により装着する状態を示す展示室のディスプレイ台付近の縦断側面図である。
【図１５】図１４のダミー本体とは異なる積層体状のダミー本体を支持台により装着する状態を示す展示室のディスプレイ台付近の縦断側面図である。
【図１６】図１４及び図１５の積層体状のダミー本体を交換する状態を示す展示室のディスプレイ台付近の斜視図である。
【発明を実施するための形態】
【００２７】
以下、本発明の実施の形態を添付した図面により詳細に説明する。
【００２８】
先ず、図１は本発明の実施の形態に係る商品ダミー体構造を適用する太陽電池を用いた飲料用自動販売機の正面図、図２は飲料用自動販売機の商品ダミー体構造を適用したダミー小缶の側面図、図３はダミー小缶の横断面図をそれぞれ示している。
【００２９】
図１において符号１で示す飲料用自動販売機（自動販売機）は、一般的な缶飲料やペットボトルなどの商品を販売するものである。この飲料用自動販売機１の本体キャビネット１１には、断熱材で囲まれた庫内に缶飲料やペットボトルなどを格納している。また、本体キャビネット１１の前面には、図示しないヒンジにより開閉自在な外扉１３が装着されている。この外扉１３の前面上部域には、展示室としてのディスプレイ室１４が画成されている。このディスプレイ室１４には、商品ダミー体２としての小さい第１〜第５ダミー小缶２１ａ〜２１ｅ及び大きいダミー大缶２２ａ，２２ｂ、商品ダミー体３としての大きい第１〜第５ダミー大ペットボトル３１ａ〜３１ｅ及び小さい第１〜第５ダミー小ペットボトル３２ａ〜３２ｅ、商品ダミー体４としてのダミーボトル４１ａ，４１ａ，…、並びに商品ダミー体５としてのダミー極小缶５１ａ，５１ａ，…が陳列して展示されている。このようにディスプレイ室１４に収容される各種商品ダミー体２〜５は、本体キャビネット１１の庫内に格納した缶飲料、ボトル飲料、及びペットボトル飲料にそれぞれ対応している。
【００３０】
また、外扉１３の前面中部域の一側（図１では左側）には、広告情報を表示する広告表示部８が設けられている。一方、外扉１３の前面中部域の他側（図１では右側）には、紙幣投入口１５、硬貨投入口１６、及びシリンダー錠付きのハンドル１７が設けられている。ハンドル１７は、外扉１３のヒンジとは反対側に位置し、シリンダー錠の開錠状態での操作により外扉１３を開放させるようにしている。更に、外扉１３の前面下部域には、商品取出口１８、及び釣銭返却口１９が設けられている。なお、外扉１３の背面には、図示しない通貨関連の硬貨制御装置、紙幣鑑別装置、硬貨回収ボックス、並びに商品選択ボタンと庫内のコラムとの割付や商品価格などの各種設定を行うリモコンボックスなどが配備されている。
【００３１】
ディスプレイ室１４は、その前面を覆うように外扉１３に設けられた透明板１３１（図１では二点鎖線で示す）と外扉１３の背面に設けられた背面板としての中扉１３２との間に画成されている。中扉１３２には、上段、中段及び下段のディスプレイ台１３３ａ〜１３３ｃが取付けられ、この各ディスプレイ台１３３ａ〜１３３ｃに各種商品ダミー体２〜５がそれぞれ着脱自在に取り付けられている。また、透明板１３１には、各種商品ダミー体２〜５に対応して設けられた商品選択ボタン１０１，１０１，…を備えた商品選択ボタンユニット１０が配設されている。
【００３２】
また、図２及び図３に示すように、大小の商品ダミー体２のうちの第２ダミー小缶２１ｂ（同一構成となるので、その他の第１、第３〜第５ダミー小缶２１ａ，２１ｃ〜２１ｅ及びダミー大缶２２ａ，２２ｂについてはその詳細な説明は省略する）は、可撓性を有するシート状のダミー缶外殻２３（ダミー体外殻）と、このダミー缶外殻２３を保持するダミー缶枠２４（ダミー体枠）とを備えている。そして、ダミー缶枠２４の下端には、下方に突出する略半円筒枠形状の突出部２４２が設けられている。この突出部２４２の周方向２カ所には、半径方向外方へ突出する係合片２４３，２４３が設けられている。一方、上段及び中段のディスプレイ台１３３ａ，１３３ｂには、突出部２４２が嵌挿される開口孔（図示せず）が設けられているとともに、この開口孔１３３ｄに係合片２４３を挿通可能とする切欠（図示せず）が設けられている。そして、ダミー缶枠２４は、突出部２４２及び各係合片２４３を上段及び中段のディスプレイ台１３３ａ，１３３ｂの開口孔及び各切欠に挿通し、商品ダミー体２が正面向きとなる位置まで回転させることで、各係合片２４３が開口孔の周縁に係合して取り付けられる。
【００３３】
ダミー缶外殻２３は、有機系太陽電池としてのシート状の色素増感太陽電池により形成されている。この色素増感太陽電池には、図示しないが、透明導電電極膜を有する作用電極基板と、金属酸化物皮膜を有する対向電極基板とが、それらの基板の導電電極面を内側にした状態で所定間隔を保って配設され、両電極基板間の空隙が、それら電極基板の内側面の周縁部においてシールされ、そのシールされた空隙内に、液状ないしゲル・固体状の電解質が封入されている。
【００３４】
色素増感型太陽電池は、通常、作用電極基板上に、酸化チタン膜等の多孔質半導体膜が形成されており、この多孔質半導体膜に増感色素が吸着している。一方、対向電極基板の導電電極面つまり金属酸化物皮膜側面には、白金や炭素等の極薄膜からなる触媒層が形成されている。これにより、作用電極基板が負極（マイナス）となり、対向電極基板が正極（プラス）となる。
【００３５】
作用電極基板としては、通常、可視光線透過率８０％を超える材料、例えば白板ガラス、ソーダガラス、硼珪酸ガラス等からなる透明な無機質製基板が適用される。また、作用電極基板は、無機質製基板以外にも、プラスチック等の透明な有機質製基板も用いられる。例えば、プラスチックとしては、ＰＥＴ、ポリエチレンナフタレート（ＰＥＮ）、ＰＣ、環状オレフィン等が挙げられる。
【００３６】
そして、一般に、作用電極基板は、導電性を有さないことから、これを支持基板とし、この片面に透明導電電極膜を備えることとなる。この透明導電電極膜としては、例えば、インジウム−スズ複合酸化物（ＩＴＯ），フッ素がドープされた酸化スズ（ＦＴＯ）、アンチモンがドープされた酸化スズ（ＡＴＯ）、酸化スズや酸化亜鉛等が用いられる。これらは単独でも２種以上を組み合わせて用いてもよい。なお、透明な支持基板そのものが、導電性プラスチックのように、導電性を有する材質からなるものであれば、透明導電電極膜を備える必要はなく、支持基板そのものを電極基板として用いることも可能である。
【００３７】
一方、金属酸化物皮膜を有する対向電極基板は、半透明な電極基板である。この基板自身は、ガラス上にフッソドープ酸化錫、酸化亜鉛、酸化インジウムや各種カーボン材料（グラファイト、グラフェン等）導電膜付きガラス基板や、電解液に腐食されない金属板（チタン、ニッケル、スチール等）が適用される。また、対向電極基板として、ポリアニリンやポリエチレンジオキシチオフェン（ＰＥＤＯＴ）等の導電性高分子を成膜した複合電極を用いてもよい。更に、対向電極基板も、作用電極基板と同様にプラスチック等の透明な有機質製基板が適用可能である。
【００３８】
金属酸化膜の厚みは、面内厚みの均一性が担保される厚みを考慮した場合、５０ｎｍ以上であることが好ましく、より好ましくは１００ｎｍ以上である。また、金属酸化膜は、一般に、電気炉等での焼成による大気圧酸化法や、硝酸等による化学酸化法、陽極酸化法等の公知の各種方法により形成される。なお、金属酸化膜の厚みの上限は、通常、１００００ｎｍである。
【００３９】
更に、電解液に接する対向電極基板の表面には、白金やルテニウム金属あるいは各種炭素材料（カーボンナノチューブやカーボンナノファイバー等）の極薄膜からなる触媒膜が形成されている。例えば、白金では、触媒能力と面内厚みの均一性が担保されることを考慮して５０ｎｍ以上であることが好ましく、より好ましくは１０ｎｍ以上であり、厚みに関して制約はない。これらの触媒層の成膜方法としては、一般に蒸着やスパッタ法が用いられるが、電気炉等での焼成による大気圧酸化法、硝酸等による化学酸化法、又は陽極酸化法などの公知の各種方法が適用される。
【００４０】
また、作用電極基板上の金属酸化物粒子からなる多孔質半導体膜は、導電性と十分な比表面積が確保できれば材料に特に制限されるものではないが、例えば、酸化チタン、酸化亜鉛、酸化錫、又はこれらの組み合わせからなる多孔質のｎ型金属酸化物半導体であることが好ましい。また、多孔質半導体膜を形成する半導体粒子は、粒状体、針状体、チューブ状体、又は柱状体等の線状体、もしくはこれら種々の線状体が集合してなるものが好適である。
【００４１】
多孔質半導体膜に吸着させる増感色素としては、例えば、光を吸収しかつ多孔質半導体膜に吸着する増感色素等が挙げられる。この増感色素の材料としては、例えば、ルテニウム錯体系、インドリン系、ポルフィリン系、フタロシアニン系，メロシアニン系，クマリン系等の有機色素の他、シリコン，砒化ガリウム，インジウムリン，カドミウムセレン，硫化カドミウム，ＣｕＩｎＳｅ等の無機系半導体や、酸化クロム，酸化鉄，酸化ニッケル等の無機顔料等があげられる。
【００４２】
両電極基板間の空隙に封入される電解質は、電解質を含有する液体のことであり、電解質と液体媒体とからなる。電解質としては、例えば、ヨウ素系の第４級アンモニウム塩、リチウム塩等があげられる。液体溶媒は、例えば、アセトニトリル、ブタノール、炭酸エチレン、メトキシプロピオニトリル等が組み合わされ、これにヨウ化テトラプロピルアンモニウム，ヨウ化リチウム，ヨウ素等を混合して電解質液が調製される。
【００４３】
この場合、電解質液としては、導電性粒子と溶媒とを少なくとも含む擬固体電解質であってもよい。なお、「擬固体」とは、固体の他、流動性はほとんど認められないが応力の印加により変形可能であるゲル状固形物或いは粘土状固形物を包含する概念を意味し、具体的には、静置して一定時間を放置した後に、自重による形状変化がないか又はその形状変化がわずかなものを意味する。擬固体電解質に含まれる導電性粒子としては、特に限定されないが、導電性炭素粒子（導電性炭素材料）が好ましく、その具体例としては、例えば、カーボンブラック、カーボンファイバー、カーボンナノチューブ、グラファイト、活性炭、フラーレン等が挙げられる。なお、これらは、各々を単独で用いても、複数を組み合わせて用いてもよい。
【００４４】
そして、ダミー缶外殻２３の表面側に位置する作用電極基板には、商品と略同じ内容の加飾がスクリーン印刷又はオフセット印刷により直接的に施されている。このスクリーン印刷又はオフセット印刷による加飾は、作用電極基板の表面であっても裏面であってもよい。このとき、ダミー缶外殻２３の表面に文字や絵柄による加飾が施される場合には、その文字や絵柄を除く部位にスクリーン印刷又はオフセット印刷による加飾が施される。
【００４５】
また、ダミー缶枠２４は、断面略円形枠状を呈し、合成樹脂材を用いてインジェクション成形されている。ダミー缶外殻２３は、ダミー缶枠２４の内方に湾曲させた変形状態で収容され、自身の変形時の復元力によりダミー缶枠２４に対して嵌合して保持されている。ダミー缶枠２４の前面には、ダミー缶外殻２３の表面のほぼ全域を外方へ露呈させる開口２４１が設けられている。なお、ダミー缶枠２４は、比較的硬質の合成樹脂（例えば、ポリプロピレン等の熱可塑性樹脂又はそれらの再生品）をインジェクション成形して得られる。
【００４６】
更に、第２ダミー小缶２１ｂは、電力を蓄電するダミー体用蓄電部としてのダミー缶用蓄電部２５と、このダミー缶用蓄電部２５で蓄電された電力により発光する発光体としてのＬＥＤランプ２６及びＥＬシート２７と、ＥＬシート２７を点滅させる回路基板２８とを備えている。ダミー缶用蓄電部２５は、ダミー缶枠２４前面の開口２４１を介して露呈している色素増感太陽電池（ダミー缶外殻２３）で生成した電力をダミー缶外殻２３の内方において蓄電している。そして、ダミー缶用蓄電部２５で蓄電した電力によって、ＬＥＤランプ２６を発光させている一方、ＥＬシート２７を回路基板２８により点滅させている。この場合、ダミー缶外殻２３に水滴状の切欠を設け、この切欠に対応するダミー缶外殻２３の裏面対応位置にＥＬシート２７を設けて、切欠のみをＥＬシート２７により点滅させる一方、ダミー缶外殻２３のその他の部位（切欠と非対応な部位）をＬＥＤランプ２６により発光させていてもよい。また、ＬＥＤランプ２６及びＥＬシート２７のいずれか一方のみが発光体として設けられていてもよい。なお、色素増感太陽電池（ダミー缶外殻２３）は、太陽光及び街灯などの人工光によっても電力が生成される。
【００４７】
ダミー缶用蓄電部２５は、第２ダミー小缶２１ｂの外部との間で電力の給電を行う一対のダミー缶用外部端子２５１，２５１（ダミー体用外部端子）を備えている。この両ダミー缶用外部端子２５１は、ダミー缶枠２４の開口２４１の周方向両端に取り付けられている。また、第２ダミー小缶２１ｂの両ダミー缶用外部端子２５１は、他の第１、第３〜第５ダミー小缶２１ａ，２１ｃ〜２１ｅ及びダミー大缶２２ａ，２２ｂのダミー缶用外部端子２５１，２５１同士とそれぞれ配線２９を介して接続され、当該第２ダミー小缶２１ｂの外部との間、つまり他の第１、第３〜第５ダミー小缶２１ａ，２１ｃ〜２１ｅ及びダミー大缶２２ａ，２２ｂとの間で電力の給電を行っている。そして、両ダミー缶用外部端子２５１は、ダミー缶枠２４のインジェクション成形時に当該ダミー缶枠２４と一体的にインサート成形されている。この場合、両ダミー缶用外部端子２５１は、ダミー缶枠２４のインジェクション成形時に図２及び図３に示す実線位置で成形され、使用時に図２及び図３に示す二点鎖線位置まで折り曲げて使用される。
【００４８】
また、図４は第３ダミー小缶２１ｃの正面図を示し、この第３ダミー小缶２１ｃは、当該第３ダミー小缶２１ｃの商品に適したロゴや模様を表記した表示板６１を備えている。第３ダミー小缶２１ｃは、その一部分としての表示板６１を電力により作動させる作動手段６０を備えている。この作動手段６０は、表示板６１の中央部より下方に垂下するアーム６０１と、ダミー缶枠２４内の下端に取り付けられたモータ６０２と、このモータ６０２の出力軸６０３に中心が回転一体に連結された円板６０４と、アーム６０１の長手方向略中央部に一端が回転自在に支持され、他端がダミー缶枠２４に回転自在に支持されたリンク６０５とを備えている。アーム６０１は、ダミー缶枠２４の上面に開口する開口孔（図示せず）を介してダミー缶枠２４内に導入され、下端が円板６０４の外周端に回転自在に支持されている。また、モータ６０２には、第３ダミー小缶２１ｃの両ダミー缶用外部端子２５１が配線（図示せず）を介して接続され、第１〜第５ダミー小缶２１ａ〜２１ｅ及び各ダミー大缶２２ａ，２２ｂのダミー缶用蓄電部２５から電力が給電される。そして、アーム６０１は、モータ６０２の回転によりクランク運動し、そのクランク運動に伴い表示板６１をリンク６０５によって左右に揺動させるようにしている。
【００４９】
また、図５は第１ダミー小缶２１ａの正面図を示し、この第１ダミー小缶２１ａは、当該第１ダミー小缶２１ａの商品に適した吹き流し６２を備えている。この吹き流し６２は、その下端がダミー缶枠２４内に止着され、ダミー缶枠２４の上面に開口する開口孔（図示せず）を介して導出されている。また、第１ダミー小缶２１ａは、その一部分としての吹き流し６２を電力により作動させる作動手段６３を備えている。この作動手段６３は、ダミー缶枠２４内の下端部に取り付けられ、かつ出力軸６３１を鉛直方向上向きに延ばしたモータ６３２と、出力軸６３１に回転一体に連結されたプロペラファン６３３とを備えている。モータ６３２には、第１ダミー小缶２１ａの両ダミー缶用外部端子２５１が配線（図示せず）を介して接続され、第１〜第５ダミー小缶２１ａ〜２１ｅ及び各ダミー大缶２２ａ，２２ｂのダミー缶用蓄電部２５から電力が給電される。そして、プロペラファン６３３は、モータ６０２の回転により回転し、その回転に伴い生成される風流によって吹き流し６２をなびかせるようにしている。
【００５０】
また、図６は第５ダミー小缶２１ｅの正面図を示し、この第５ダミー小缶２１ｅは、当該第５ダミー小缶２１ｅの直上側に対応する中扉１３２の対応位置に取り付けられ、かつ商品に適した宣伝効果を表す宣伝シート６４を備えている。この宣伝シート６４は、その全域に亘って気泡を表す複数の開口孔６４１，６４１，…が穿たれている。また、第５ダミー小缶２１ｅは、その一部分としての宣伝シート６４を電力により点滅作動させる作動手段としての有機又は無機のＥＬシート（図示せず）を宣伝シート６４の裏面側に備えている。このＥＬシートには、当該ＥＬシートを点滅させる回路基板（図示せず）が接続されているとともに、この回路基板が第５ダミー小缶２１ｅの両ダミー缶用外部端子２５１に配線（図示せず）を介して接続され、大小の第１〜第５ダミー小缶２１ａ〜２１ｅ及び各ダミー大缶２２ａ，２２ｂのダミー缶用蓄電部２５から電力が給電される。そして、宣伝シート６４は、ＥＬシートが点滅作動すると、各開口孔６４１から漏れる光によって気泡が表現されるようになっている。
【００５１】
図７は飲料用自動販売機の商品ダミー体構造を適用した第１ダミー大ペットボトル３１ａの正面図、図８は図７のＡ−Ａ線における断面図をそれぞれ示している。
【００５２】
図７及び図８において、商品ダミー体３のうちの第１ダミー大ペットボトル３１ａは、その最外殻を構成するダミー体外殻パネルとしての外殻パネル３０を備えている。また、第１ダミー大ペットボトル３１ａは、外殻パネル３０を保持するシート状のダミーペットボトル枠３４を備えている。更に、第１ダミー大ペットボトル３１ａは、ダミーペットボトル枠３４の表面に取り付けられた有機系太陽電池としてのシート状の色素増感太陽電池３３を備えている。
【００５３】
ダミーペットボトル枠３４は、略矩形状を呈し、合成樹脂材を用いてインジェクション成形されている。外殻パネル３０は、その突出部分３０１に設けられた係合部（図示せず）によりダミーペットボトル枠３４に対し係合されて保持されている。なお、ダミーペットボトル枠３４に使用される合成樹脂材としては、前記ダミー缶枠２４と同じものが挙げられる。
【００５４】
一方、第２〜第５ダミー大ペットボトル３１ｂ〜３１ｅ及び第１〜第５ダミー小ペットボトル３２ａ〜３２ｅは、ダミーペットボトル枠３４を備えてはおらず、外殻パネル３０のみで構成されている。そして、色素増感太陽電池３３は、ダミーペットボトル枠３４の裏側に設けられ、その周縁が外殻パネル３０の突出部分３０１の裏面に取り付けられている。
【００５５】
第１〜第５ダミー大ペットボトル３１ａ〜３１ｅ及び第１〜第５ダミー小ペットボトル３２ａ〜３２ｅの外殻パネル３０は、それぞれに該当する商品の略前半分の形状をしている。すなわち、この外殻パネル３０は、例えば、ポリカーボネイト、ポリエチレンテレフタレート等またはそれらの再生品など、耐熱性、耐候性に優れた素材からなる。そして、外殻パネル３０は、真空成形または圧空成形とトムソン法やプレス法による打ち抜きとによって成形され、トムソン法やプレス法による打ち抜きを行う際に、外殻パネル３０の周縁に外方（外殻パネル３０を立てたときの上下左右方向外側）に向かって延びる突出部分３０１が形成されている。このとき、第１ダミー大ペットボトル３１ａの外殻パネル３０の突出部分３０１には、図示しない係合部が設けられ、この係合部によって、外殻パネル３０がダミーペットボトル枠３４に保持されるようになっている。
【００５６】
そして、外殻パネル３０には、商品と略同じ内容の加飾がスクリーン印刷やオフセット印刷により施されている。これらの印刷による加飾は、外殻パネル３０の表面であっても裏面であってもよい。要するに、色素増感太陽電池３３の表面には、外殻パネル３０を介して間接的な加飾が施されている。
【００５７】
また、第１ダミー大ペットボトル３１ａの外殻パネル３０の少なくとも一部としての上部における左右両側の突出部分３０１には、気泡の模様を表す複数の開口孔３０２が穿たれている。なお、開口孔３０２に代えて、外殻パネルの突出部分に気泡の模様や商品ダミー体に適したロゴなどが印刷されていてもよい。
【００５８】
更に、第１〜第５ダミー大ペットボトル３１ａ〜３１ｅ及び第１〜第５ダミー小ペットボトル３２ａ〜３２ｅは、外殻パネル３０の内部に電力により発光する発光体としての有機又は無機のＥＬシート３７を備えている。このＥＬシート３７は、色素増感太陽電池３３の裏面に取り付けられている。この場合、第１ダミー大ペットボトル３１ａでは、色素増感太陽電池３３とダミーペットボトル枠３４との間にＥＬシート３７が介設されている。なお、ＥＬシート３７が、外殻パネルの裏側の上部にのみ取り付けられていてもよい。
【００５９】
更に、第１〜第５ダミー大ペットボトル３１ａ〜３１ｅ及び第１〜第５ダミー小ペットボトル３２ａ〜３２ｅは、電力を蓄電するダミー体用蓄電部としてのダミーペットボトル用蓄電部（図示せず）と、このダミーペットボトル用蓄電部で蓄電された電力により発光する発光体としての有機又は無機のＥＬシート３７とを備えている。ダミーペットボトル用蓄電部は、色素増感太陽電池３３で生成した電力を外殻パネル３０の内方において蓄電している。また、ＥＬシート３７は、色素増感太陽電池３３とダミーペットボトル枠３４との間に介設されている。そして、ダミーペットボトル用蓄電部で蓄電した電力によって、ＥＬシート３７を点灯させている。
【００６０】
ダミーペットボトル用蓄電部は、第１〜第５ダミー大ペットボトル３１ａ〜３１ｅ及び第１〜第５ダミー小ペットボトル３２ａ〜３２ｅの外部との間で電力の給電を行うダミー体用外部端子としての一対のダミーペットボトル用外部端子（図示せず）を備えている。第１ダミー大ペットボトル３１ａの両ダミーペットボトル用外部端子は、他の第２〜第５ダミー大ペットボトル３１ｂ〜３１ｅ及び第１〜第５ダミー小ペットボトル３２ａ〜３２ｅのダミーペットボトル用外部端子同士とそれぞれ配線を介して接続され、当該第１ダミー大ペットボトル３１ａの外部との間、つまり他の第２〜第５ダミー大ペットボトル３１ｂ〜３１ｅ及び第１〜第５ダミー小ペットボトル３２ａ〜３２ｅとの間で電力の給電を行っている。この場合、第１〜第５ダミー大ペットボトル３１ａ〜３１ｅ及び第１〜第５ダミー小ペットボトル３２ａ〜３２ｅのダミーペットボトル用外部端子が、第１〜第５ダミー小缶２１ａ〜２１ｅ及び各ダミー大缶２２ａ，２２ｂのダミー缶用外部端子２５１とそれぞれ配線を介して接続されていてもよい。
【００６１】
図９は第３ダミー大ペットボトル３１ｃを取り付ける直前の上段のディスプレイ台１３３ａの開口孔付近の斜視図、図１０は図９のダミー大ペットボトル３１ｃを取り付ける途中の斜視図をそれぞれ示している。
【００６２】
図９及び図１０に示すように、第１〜第５ダミーペット大ボトル３１ａ〜３１ｅ及び第１〜第５ダミー小ペットボトル３２ａ〜３２ｅの外殻パネル３０の下端には、下方へ突出する略半円形状の突出部３９が設けられている。突出部３９は、その周縁の両端近傍で下端部に突起部３９４，３９４を有し、周縁の中央部分の下端部に２つの突起３９５，３９５が隙間を存して設けられている。また、各突起３９５の隙間、及び各突起３９５と各突起部３９４との間には、側面視で三角形の挟持用突起３９６，３９７が突設されている。そして、外殻パネル３０は、突出部３９の周面部分が突起３９５と挟持用突起３９６との間に挿入されるように差し込み、突出部３９の近傍部分を弾性変形させて突起部３９４を上段及び中段のディスプレイ台１３３ａ，１３３ｂの開口孔１３３ｄの周縁部分を潜らせてから、突出部３９を弾性復帰させることで取り付けられる。
【００６３】
図１１は第２ダミー大ペットボトル３１ｂの正面図、図１２は図１１の第２ダミー大ペットボトル３１ｂが取り付けられる上段のディスプレイ台１３３ａの開口孔１３３ｄ付近の平面図をそれぞれ示している。
【００６４】
図１１及び図１２に示すように、第２ダミー大ペットボトル３１ｂは、当該第２ダミー大ペットボトル３１ｂの商品に適したロゴや模様を表記した表示板６５を備えている。第２ダミー大ペットボトル３１ｂは、その一部分としての表示板６５を電力により作動させる作動手段６６を備えている。この作動手段６６は、表示板６５の中央部より下方に垂下するロッド６６１と、ロッド６６１の下端が出力軸に回転一体に連結されたモータ６６２とを備えている。モータ６６２は、上段のディスプレイ台１３３ａの開口孔１３３ｄの中扉１３２側周縁にクリップされたクリップ体６６６の上面に取り付けられている。また、モータ６６２は、ダミー大ペットボトル３１ｂのダミーペットボトル用外部端子に配線を介して接続されている。そして、モータ６６２は、ダミーペットボトル用蓄電部から給電される電力により回転し、表示板６５をロッド６６１回りに回転させている。
【００６５】
更に、ディスプレイ室１４の中扉１３２には、有機系太陽電池としてのシート状の色素増感太陽電池７１が取り付けられている。具体的には、色素増感太陽電池７１は、上段のディスプレイ台１３３ａに取り付けたダミー大ペットボトル３１ａ，３１ｂ及び各ダミーボトル４１ａの直上側に対応する中扉１３２の上側対応位置と、中段のディスプレイ台１３３ｂに取り付けたダミー小ペットボトル３２ａ〜３２ｅの直上側に対応する中扉１３２の中央対応位置とに取り付けられている。
【００６６】
色素増感太陽電池７１は、電力を蓄電する背面パネル用蓄電部としての中扉用蓄電部（図示せず）と、この中扉用蓄電部に設けられ、当該中扉用蓄電部の外部に電力の給電を行う背面パネル用外部端子としての一対の中扉用外部端子（図示せず）とを備えている。この両中扉用外部端子は、第１〜第５ダミー小缶２１ａ〜２１ｅ及び各ダミー大缶２２ａ，２２ｂのダミー缶用外部端子２５１及び第１〜第５ダミー大ペットボトル３１ａ〜３１ｅ及び第１〜第５ダミー小ペットボトル３２ａ〜３２ｅのダミーペットボトル用外部端子とそれぞれ配線を介して接続され、当該第１〜第５ダミー小缶２１ａ〜２１ｅ及び各ダミー大缶２２ａ，２２ｂ並びに第１〜第５ダミー大ペットボトル３１ａ〜３１ｅ及び第１〜第５ダミー小ペットボトル３２ａ〜３２ｅに対し電力の給電を行っている。
【００６７】
また、飲料用自動販売機１の本体キャビネット１１の天面には、シリコン系太陽電池７２が取り付けられている。このシリコン系太陽電池７２は、当該シリコン系太陽電池７２で生成した電力を蓄電するシリコン系太陽電池用蓄電部としての天面用蓄電部（図示せず）と、この天面用蓄電部に設けられ、シリコン系太陽電池７２の外部に電力の給電を行う一対の天面用外部端子（図示せず）とを備えている。そして、両天面用外部端子は、第１〜第５ダミー小缶２１ａ〜２１ｅ及び各ダミー大缶２２ａ，２２ｂのダミー缶用外部端子２５１並びに第１〜第５ダミー大ペットボトル３１ａ〜３１ｅ及び第１〜第５ダミー小ペットボトル３２ａ〜３２ｅのダミーペットボトル用外部端子とそれぞれ配線を介して接続され、当該第１〜第５ダミー小缶２１ａ〜２１ｅ及び各ダミー大缶２２ａ，２２ｂ並びに第１〜第５ダミー大ペットボトル３１ａ〜３１ｅ及び第１〜第５ダミー小ペットボトル３２ａ〜３２ｅに対し電力の給が行えるようにしている。
【００６８】
したがって、本実施の形態では、表面に対し直接的な加飾が施されたシート状の色素増感太陽電池により形成したシート状のダミー缶外殻２３、及び表面に対し外殻パネル３０を介して間接的な加飾が施されたシート状の色素増感太陽電池３３により生成してダミー缶用蓄電部２５及びダミーペットボトル用蓄電部で蓄電した電力によって、各商品ダミー体２，３を箇々に内方からＬＥＤランプ２６及びＥＬシート２７，３７を発光又は点滅させているので、ディスプレイ室１４内の各商品ダミー体２，３の発光を各商品ダミー体２，３毎に独自で行え、色素増感太陽電池の利点を有効に利用して飲料用自動販売機１の省電力化及び広告の多様化を図ることができる。
【００６９】
また、各商品ダミー体２，３のダミー缶用蓄電部２５及びダミーペットボトル用蓄電部のそれぞれのダミー缶用外部端子２５１及びダミーペットボトル用外部端子同士が配線を介して接続されて電力の給電が行われるので、ディスプレイ室１４での各商品ダミー体２，３の収容位置によって光による生成量に差がある電力がほぼ均一なものとなり、ディスプレイ室１４内の各商品ダミー体２，３の発光を円滑に行うことができる。
【００７０】
また、第３ダミー小缶２１ｃの表示板６１を左右に揺動させるモータ６０２、第１ダミー小缶２１ａの吹き流し６２をプロペラファン６３３の風流によってなびかせるモータ６３２、第５ダミー小缶２１ｅの宣伝シート６４の各開口孔６４１から光を漏れるように点滅させるＥＬシート、及びダミー大ペットボトル３１ｂの表示板６５をロッド６６１回りに回転させるモータ６６２が、ダミー缶用外部端子２５１又はダミーペットボトル用外部端子にそれぞれ配線を介して接続されているので、ダミー缶用蓄電部２５及びダミーペットボトル用蓄電部に蓄電した電力により、第３ダミー小缶２１ｃの表示板６１を揺動させたり、第１ダミー小缶２１ａの吹き流し６２をなびかせたり、第５ダミー小缶２１ｅの宣伝シート６４を点滅させたり、ダミー大ペットボトル３１ｂの表示板６５をロッド６６１回りに回転させたりすることができる。
【００７１】
また、色素増感太陽電池７１をディスプレイ室１４の中扉１３２に取り付け、この色素増感太陽電池７１で生成して蓄電した中扉用蓄電部の中扉用外部端子が各商品ダミー体２，３のダミー缶用外部端子２５１及びダミーペットボトル用外部端子に配線を介して接続されているので、ダミー缶用蓄電部２５及びダミーペットボトル用蓄電部からの電力が不足するといった事態に陥ったとしても、中扉用蓄電部で蓄電した電力を各商品ダミー体２，３のＬＥＤランプ２６、ＥＬシート２７，３７、及びモータ６０２，６３２，６６２に給電して当該ＬＥＤランプ２６及びＥＬシート２７，３７の点灯、点滅や、モータ６０２，６３２，６６２の駆動をアシストすることができる。
【００７２】
しかも、飲料用自動販売機１の本体キャビネット１１の天面に設けたシリコン系太陽電池７２の天面用蓄電部の天面用外部端子を各商品ダミー体２，３のダミー缶用外部端子２５１及びダミーペットボトル用外部端子に配線を介して接続し、シリコン系太陽電池７２で蓄電した電力もダミー缶用外部端子２５１及びダミーペットボトル用外部端子に給電されるので、ダミー缶用蓄電部２５及びダミーペットボトル用蓄電部からの電力が不足するといった事態に陥ったとしても、天面用蓄電部に蓄電した電力を各商品ダミー体２，３のＬＥＤランプ２６、ＥＬシート２７，３７、及びモータ６０２，６３２，６６２に給電して当該ＬＥＤランプ２６、ＥＬシート２７，３７を点灯、点滅させたり、モータ６０２，６３２，６６２を駆動させたりすることもできる。
【００７３】
また、第１〜第５ダミー大ペットボトル３１ｂ〜３１ｅ及び第１〜第５ダミー小ペットボトル３２ａ〜３２ｅの色素増感太陽電池３３の表面に外殻パネル３０を介して間接的な加飾が施されているので、色素増感太陽電池３３の表面よりも自由度の高い外殻パネル３０に加飾が施せ、各商品ダミー体３の加飾の自由度を拡大させることができる。更に、外殻パネル３０の上部における左右両側の突出部分３０１に気泡の模様を表す複数の開口孔３０２が穿たれているので、各商品ダミー体３の加飾の自由度をより拡大させることができる。
【００７４】
また、可撓性のあるダミー缶外殻２３自身の変形時の復元力によってダミー缶外殻２３がダミー缶枠２４に対して嵌合されているので、係合具などを用いることなくダミー缶外殻２３をダミー缶枠２４に対し確実に保持することができる。
【００７５】
更に、ダミー缶用外部端子２５１がダミー缶枠２４と一体的にインサート成形されているので、ダミー缶枠２４に対しダミー缶用外部端子２５１を後付けで取り付ける必要がなく、ダミー缶用外部端子２５１の取付作業を廃止することができる。
【００７６】
なお、本発明は、前記実施の形態に限定されるものではなく、その多種種の変形例を包含している。例えば、前記実施の形態では、商品ダミー体構造を飲料用自動販売機１の各種商品ダミー体２，３に適用したが、図１３に示すように、たばこ用自動販売機９の展示室９０に収容された商品ダミー体としての各種ダミーたばこ９１，９１，…にも適用できるのはいうまでもない。この場合、展示室９０が透明板１３１（図１３では二点鎖線で示す）と中扉１３２との間に画成され、たばこ用自動販売機９の外扉１３の前面にも、飲料用自動販売機１と同様に、広告表示部８、紙幣投入口１５、硬貨投入口１６、商品取出口１８、及び釣銭返却口１９が設けられる。
【００７７】
また、前記実施の形態では、第１〜第５ダミー小缶２１ａ〜２１ｅ及び各ダミー大缶２２ａ，２２ｂのダミー缶枠２４下端に突出部２４２を設けたり、第１〜第５ダミー大ペットボトル３１ａ〜３１ｅ及び第１〜第５ダミー小ペットボトル３２ａ〜３２ｅの外殻パネル３０下端に突出部３９を設けたりしたが、図１４に示すように、商品と略一致するロゴや模様の印刷により加飾が施されたパネル状のダミー外殻９２１と、このダミー外殻９２１の裏面に取り付けられたシート状の色素増感太陽電池９２２と、この色素増感太陽電池９２２の裏面に取り付けられた発光体としてのシート状の有機又は無機のＥＬシート９２３とにより一体的な積層体状のダミー本体９２を構成し、このダミー本体９２を支持する略Ｌ字状の支持台９３を備え、この支持台９３を、ダミー本体９２を上方からスライドさせて脱着自在に保持する保持枠９３１を左右両側部に有する案内片９３２と、この案内片９３２の下端より略水平に後方へ延びる装着片９３３とで構成し、その装着片９３３の下端に、展示室１４のディスプレイ台１３３ａ〜１３３ｃに脱着自在に装着される装着部としての突出部２４２を下方に突設させていてもよい。この場合、装着片９３３の上面にはダミー体用蓄電部９３４が取り付けられ、このダミー体用蓄電部９３４に色素増感太陽電池７１，９２２で生成した電力を蓄電して、ＥＬシート９２３へ給電されるようにしている。
また、図１５に示すように、商品の略前半分の形状をした外殻パネル３０と、この外殻パネル３０の突出部分３０１の裏面に取り付けられた発光体としてのシート状の有機又は無機のＥＬシート９４１とにより一体的な積層体状のダミー本体９４を構成し、このダミー本体９４を支持する略Ｌ字状の支持台９５を備え、この支持台９５を、ダミー本体９４を上方からスライドさせて脱着自在に保持する保持枠９５１を左右両側部に有する案内片９５２と、この案内片９５２の下端より略水平に後方へ延びる装着片９５３とで構成し、その装着片９５３の下端に、突出部２４２を下方に突設させていてもよい。この場合、装着片９５３の上面にはダミー体用蓄電部９５４が取り付けられ、このダミー体用蓄電部９５４に色素増感太陽電池７１で生成した電力を蓄電して、ＥＬシート９４１へ給電されるようにしている。
そして、図１６に示すように、ダミー本体９２，９４は、展示室１４のディスプレイ台１３３ａ〜１３３ｃに突出部２４２を差し込んで支持台９３，９５を装着した状態で案内片９３２，９５２の保持枠９３１，９５１に上方からスライドさせて保持され、ダミー本体９２，９４の交換作業を簡単に行えることになる。なお、ダミー本体９２，９４の積層体構造はこれに限らず、ダミー外殻又は外殻パネルが単体で構成されていてもよく、その場合には、展示室の各色素増感太陽電池と中扉との間にＥＬシートを介設させる必要がある。
【００７８】
また、前記実施の形態では、有機又は無機のＥＬシート２７，３７を用いたが、ＬＥＤシート、又は端縁から光を照射して発光するアクリルなどからなる透明の導光板が用いられていてもよい。
【００７９】
また、前記実施の形態では、本体キャビネット１１の天面にシリコン系太陽電池７２を取り付けたが、本体キャビネットの側方に光が入射可能な空間がある場合には、当該空間に隣接する本体キャビネットの側面にもシリコン系太陽電池が取り付けられていてもよい。
【００８０】
また、前記実施の形態では、有機系太陽電池としてそれぞれ色素増感太陽電池を用いたが、色素増感太陽電池に代えて有機薄膜太陽電池がそれぞれ適用されていてもよい。
【００８１】
更に、前記実施の形態では、シート状の色素増感太陽電池によりダミー缶外殻２３及びダミーペットボトル外殻３３を形成したが、各ダミーボトル及び各ダミー極小缶を、ダミー本体とダミー体枠とで構成し、それぞれのダミー本体が可撓性を有するシート状の色素増感太陽電池により形成されていてもよい。
【産業上の利用可能性】
【００８２】
本発明に係る色素増感太陽電池は、各種商品ダミー体の模様を直接的又は間接的に表現しつつ発電することで、各種商品ダミー体を有効に利用して自動販売機の省電力化及び広告の多様化を図る効果があり、あらゆる自動販売機に用いると有用である。
【符号の説明】
【００８３】
１        飲料用自動販売機
１３２    中扉（展示室の背面パネル）
２〜５    商品ダミー体
２３      ダミー缶外殻（ダミー体外殻）
２４      ダミー缶枠（ダミー体枠）
２５      ダミー缶用蓄電部（ダミー体用蓄電部）
２５１    ダミー缶用外部端子（ダミー体用外部端子）
２６      ＬＥＤランプ（発光体）
２７      ＥＬシート（発光体）
２９      配線
３０      外殻パネル（ダミー体外殻パネル）
３０１    突出部分（ダミー体外殻パネルの少なくとも一部）
３３      色素増感太陽電池（有機系太陽電池）
６１      表示板（商品ダミー体の少なくとも一部分）
６０      作動手段
６２      吹き流し（商品ダミー体の少なくとも一部分）
６３      作動手段
６４      宣伝シート（商品ダミー体の少なくとも一部分）
６５      表示板（商品ダミー体の少なくとも一部分）
６６      作動手段
７１      色素増感太陽電池（有機系太陽電池）
７２      シリコン系太陽電池
【図１】
0005514852.tif 000002
【図２】
0005514852.tif 000003
【図３】
0005514852.tif 000004
【図４】
0005514852.tif 000005
【図５】
0005514852.tif 000006
【図６】
0005514852.tif 000007
【図７】
0005514852.tif 000008
【図８】
0005514852.tif 000009
【図９】
0005514852.tif 000010
【図１０】
0005514852.tif 000011
【図１１】
0005514852.tif 000012
【図１２】
0005514852.tif 000013
【図１３】
0005514852.tif 000014
【図１４】
0005514852.tif 000015
【図１５】
0005514852.tif 000016
【図１６】
0005514852.tif 000017